(57)【特許請求の範囲】
【請求項１】
ＣＯ２を含む複数成分の処理対象ガスからＣＯ２を分離回収するＣＯ２回収装置であって、
前記処理対象ガスにＣＯ２吸収液を接触させて前記処理対象ガス中のＣＯ２を吸収するＣＯ２吸収塔と、
前記ＣＯ２吸収塔に連通され、該ＣＯ２吸収塔から払い出されるＣＯ２リッチ状態のＣＯ２吸収液を加熱して該ＣＯ２吸収液からＣＯ２を分離させるリボイラとを備え、
前記リボイラは直列に複数段配置され、
複数段配置された前記リボイラのうち、前段側の第１リボイラと後段側の第２リボイラとの間には、前記第２リボイラで分離したＣＯ２及び水蒸気を前記第１リボイラへ移送するガス移送配管が備えられ、
前記第１リボイラは、ＣＯ２リッチ状態のＣＯ２吸収液を、前記第２リボイラから前記ガス移送配管を介して供されるＣＯ２と水蒸気とが混合した気泡により攪拌しながら加熱することを特徴とするＣＯ２回収装置。
【請求項２】
前記第１リボイラと前記第２リボイラとの間には、前記第１リボイラのＣＯ２吸収液を前記第２リボイラへ移送する吸収液移送配管が更に備えられていることを特徴とする請求項１に記載のＣＯ２回収装置。
【請求項３】
ＣＯ２を含む複数成分の処理対象ガスからＣＯ２を分離回収するＣＯ２回収方法であって、
ＣＯ２吸収塔にて前記処理対象ガスに圧力が０．３ＭＰａＧの条件下で比揮発度５以上のＣＯ２吸収液を接触させて前記処理対象ガス中のＣＯ２を吸収する工程と、
前記ＣＯ２吸収塔に連通される第１リボイラにて、前記ＣＯ２吸収塔から払い出されるＣＯ２リッチ状態のＣＯ２吸収液を加熱して該ＣＯ２吸収液からＣＯ２を分離させる第１のＣＯ２分離工程と、
前記第１リボイラに連通される第２リボイラにて、前記第１リボイラから払い出されるＣＯ２吸収液を加熱して該ＣＯ２吸収液からＣＯ２及び水蒸気を分離させる第２のＣＯ２分離工程と、
前記第２リボイラで分離されたＣＯ２及び水蒸気を、ガス移送配管を介して前記第１リボイラへ移送する工程と、
を備え、
前記第１のＣＯ２分離工程は、ＣＯ２リッチ状態のＣＯ２吸収液を、前記第２リボイラから前記ガス移送配管を介して供されるＣＯ２と水蒸気とが混合した気泡により攪拌しながら加熱することを特徴とするＣＯ２回収方法。
【発明の詳細な説明】
【技術分野】
【０００１】
本発明はＣＯ２回収装置及び回収方法におけるアミン炭酸塩の再生に関する。
【背景技術】
【０００２】
従来、高炉ガス、ボイラ排ガス、天然ガス、石油分解ガスなどでＣＯ２を回収する場合、モノエタノールアミン（ＭＥＡ）などのＣＯ２吸収液を用い、まず吸収塔でＣＯ２を吸収させ、このＣＯ２吸収液を再生塔まで導き、水蒸気に接触させてＣＯ２を放散させて再生し、以下これを繰り返しながら循環使用する技術が知られている。
例えば、下記の特許文献１に記載されている技術である。
【０００３】
ここで、図３を参照しながら、従来のアミン炭酸塩の再生について説明する。
この図において、符号１０１はＣＯ２吸収塔、１０２は再生塔を示す。
ＣＯ２を含む処理対象ガスを、配管１１１を介してＣＯ２吸収塔１０１の内部に塔底部から流入させる。ＣＯ２吸収塔１０１では、処理対象ガスが塔内の充填槽にて、塔頂部から給液されたアミン炭酸塩からなるＣＯ２吸収液と接触し、発熱反応を伴いながらガス中のＣＯ２がＣＯ２吸収液に吸収される。ＣＯ２を吸収してＣＯ２濃度が濃くリッチ状態となったＣＯ２吸収液は、熱交換器１１２ａが介装された配管１１２を介して、ＣＯ２吸収塔１０１から再生塔１０２へ送られる。
【０００４】
再生塔１０２では、ＣＯ２吸収液は、塔底部に設置されたリボイラ１１３から加えられる水蒸気のエネルギーにより分解される。このとき、生じるＣＯ２は水蒸気とともに、塔頂部から配管１１４を介して凝縮器１１４ａへ送られる。凝縮器１１４ａでは、水蒸気が凝縮・分離される。凝縮された水蒸気は液体の状態で、気液分離槽を兼ねたタンク１１５の底部からポンプ１１６ａにより配管１１６を介して再生塔１０２へ戻される。また、ＣＯ２はタンク１１５の塔頂部から系外に払い出される。
このように再生塔１０２では、水蒸気がアミン炭酸塩からなるＣＯ２吸収液の分解する機能、ＣＯ２吸収液へ顕熱を供給する機能、およびＣＯ２を再生塔から外部へ運び出す機能の３つの機能を果たす。
【０００５】
再生塔１０２内で分解されて、ＣＯ２濃度が薄くリーン状態となったＣＯ２吸収液は、塔底部から、熱交換器１１２ａ、ポンプ１１７ａ、熱交換器１１７ｂがそれぞれ介装された配管１１７を介してＣＯ２吸収塔１０１へ戻される。
なお、ＣＯ２吸収塔１０１では、ＣＯ２が除去された処理対象ガスが配管１１８を介して外部へ払い出される。
なお、図３の再生塔１０２には、一般的に充填槽を利用した充填塔が用いられるが、その他、泡鐘槽を利用した泡鐘搭が用いられることもある。
【０００６】
次に、図４を用いて従来技術の再生塔１０２内の様子を説明する。
蒸留の場合は、ｘ−ｙチャートを用い、トレー塔などの段数計算に利用される。ここでは、ｘ−ｙチャートの代わりにＣ−ｙチャートを用いる。Ｃはローディングであり、単位はｍｏｌＣＯ２／ｍｏｌアミンである。ｙはガス中のＣＯ２分圧であり、単位はｍｏｌｆｒである。
【０００７】
再生塔１０２の上部には、ＣＯ２吸収塔１０１からＣＯ２リッチ状態となったＣＯ２吸収液が流入する。このＣＯ２吸収液の状態を図３、図４において符号Ａで示す。このＣＯ２リッチ状態のＣＯ２吸収液は、再生塔１０２内を下降しながらＣＯ２を放散し、次第に再生塔の操作線１２０に沿ってＣＯ２濃度が下がりＢの状態になる。そして、Ｂの状態のＣＯ２吸収液はリボイラ１１３に至り、ここで加熱されることでＣＯ２濃度がさらに下がりＣの状態に至る。すなわち、ＣＯ２吸収液はＣＯ２濃度が薄くリーン状態となる。
ここで、ＣＯ２吸収液がＢの状態からＣの状態に至るとき、リボイラ１１３の段効率が１００％であるから、Ｂから水平線となって延びる物質収支線１２１と、Ｃから垂直へ立ち上がる垂直線１２２とは、ＣＯ２−アミン吸収液（ＣＯ２吸収液）の気液平衡線１２３で交わる。この点が図４においてＤである。
【０００８】
ここで操作線について説明を行う。
ＣＯ２吸収液中のＣＯ２濃度変化をｄＣ、水蒸気中のＣＯ２濃度変化をｄｙとすると、  ＣＯ２吸収液が失うＣＯ２量と水蒸気が得るＣＯ２量は等しいから（１）式が成立する。
【０００９】
【数１】
0005658101.tif 000002
【００１０】
したがって、操作線の傾きｄｙ／ｄＣは液ガス化比Ｌ／Ｖに等しい。
もし、水蒸気が凝縮を伴わない場合は、操作線１２４のように直線となる。
しかし、実際には、アミン炭酸塩の分解及び液顕熱変化に起因して水蒸気の凝縮が起こるため、操作線１２０のような下に凸の曲線となる。なお、操作線１２５は仮想曲線であり、操作線１２０と１２５で、全体の操作線を表す。
【００１１】
次に、式２にＨＴＵ(総括移動高さ)とＮＴＵ(総括移動数単位)の式を示す。
【００１２】
【数２】
0005658101.tif 000003
【００１３】
微分区間において操作線と平衡線は直線とみなせるので、微分区間では、（３）式が成立する
【００１４】
【数３】
0005658101.tif 000004
【００１５】
充填槽におけるＮＴＵ合計量は（４）式となる。
【００１６】
【数４】
0005658101.tif 000005
【００１７】
【数５】
0005658101.tif 000006
【００１８】
従来法においては（２）〜（５）式を用いて規則充填物のＨＴＵ＝２〜３ｍを得る。
【先行技術文献】
【特許文献】
【００１９】
【特許文献１】特開２００５−２５４２１２号公報
【発明の概要】
【発明が解決しようとする課題】
【００２０】
上述した従来のＣＯ２回収装置では、ＣＯ２吸収液の再生に再生塔を用いており、再生塔は高さが１０ｍにも達するものもあるため、装置全体が大型化する、あるいは建設コストが嵩むという問題があった。
【００２１】
本発明者らは、鋭意研究を行った結果、分解反応を伴う蒸留系において、比揮発度が５以上の吸収液を使用した場合に、再生塔を必要とすることなく吸収液の再生が可能なことを見出した。
すなわち、比揮発度の大きい吸収液を使用する場合には再生塔の負荷が小さくなるため、この性質を利用し、再生塔を必要とすることなく、かつデルタローディングを損なわずにＣＯ２を回収することを見出した。
【００２２】
ここで、デルタローディング及び比揮発度を、以下のように定義する。
本明細書では、吸収塔から再生手段（ＣＯ２吸収液再生手段）へ送られる、ＣＯ２を多量に含むＣＯ２吸収液をリッチ状態のＣＯ２吸収液と言い、このときのＣＯ２濃度をリッチローディング（以下ＣＲ）という。
これに対し、再生手段から吸収塔へ送られる、ＣＯ２を少量含むＣＯ２吸収液をリーン状態のＣＯ２吸収液と言い、このときのＣＯ２濃度をリーンローディング（以下ＣＬ）という。
このリッチローディングとリーンローディングの差をデルタローディング（以下、dＣ）と定義する。
【００２３】
なお、再生塔を循環するＣＯ２吸収液循環量はデルタローディングで決定される。
また、ある成分の分圧Ｐとその成分の液中濃度ｘについてＰ／ｘで表される値を揮発度といい、２成分の揮発度ｋ１，ｋ２に対してｋ１／ｋ２と表される値を比揮発度と定義する。
【００２４】
すなわち、本発明は、高い比揮発度のＣＯ２吸収液を利用することにより、再生塔を必要とすることなく、ＣＯ２吸収液の再生が可能なものであって、装置の小型化が図れ、しかも建設コストを削減することができるＣＯ２回収装置及び回収方法を提供することを目的とする。
【課題を解決するための手段】
【００２５】
上記課題を解決するために、この発明は以下の手段を提案している。
本発明の請求項１に係るＣＯ２回収装置は、ＣＯ２を含む複数成分の処理対象ガスからＣＯ２を分離回収するＣＯ２回収装置であって、前記処理対象ガスにＣＯ２吸収液を接触させて前記処理対象ガス中のＣＯ２を吸収するＣＯ２吸収塔と、前記ＣＯ２吸収塔に連通され、該ＣＯ２吸収塔から払い出されるＣＯ２リッチ状態のＣＯ２吸収液を加熱して該ＣＯ２吸収液からＣＯ２を分離させるリボイラとを備え、前記リボイラは直列に複数段配置され、複数段配置された前記リボイラのうち、前段側の第１リボイラと後段側の第２リボイラとの間には、前記第２リボイラで分離したＣＯ２及び水蒸気を前記第１リボイラへ移送するガス移送配管が備えられ、前記第１リボイラは、ＣＯ２リッチ状態のＣＯ２吸収液を、前記第２リボイラから前記ガス移送配管を介して供されるＣＯ２と水蒸気とが混合した気泡により攪拌しながら加熱することを特徴とする。
【００２６】
上記ＣＯ２回収装置によれば、ＣＯ２吸収塔にて、ＣＯ２を回収しようとする処理対象ガスがＣＯ２吸収液に接触されて処理対象ガス中のＣＯ２が吸収される。また、ＣＯ２吸収塔内のＣＯ２リッチ状態のＣＯ２吸収液はリボイラへ導かれる、リボイラでは、ＣＯ２吸収液が加熱されてＣＯ２吸収液からＣＯ２が分離される。また、ここでは、リボイラが直列に複数段配置されているので、それら複数段のリボイラ内でＣＯ２吸収液がそれぞれ熱により分解される。これにより、再生塔を必要とすることなく、ＣＯ２吸収液の再生が可能となる。
【００２７】
また、本発明の請求項２に係るＣＯ２回収装置は、前記第１リボイラと前記第２リボイラとの間には、前記第１リボイラのＣＯ２吸収液を前記第２リボイラへ移送する吸収液移送配管が更に備えられていることを特徴とする。
この場合、第１リボイラ内のＣＯ２吸収液は吸収液移送配管によって第２リボイラへ導かれる。また、第２リボイラ内でＣＯ２吸収液の分解により生じるＣＯ２はガス移送配管によって第１リボイラへ導かれる。このように、ＣＯ２吸収液とＣＯ２とを別々の専用配管で移送するので、それらの移送効率が良くなり、その分、リッチ状態のＣＯ２吸収液のＣＯ２濃度がより一層濃くなる。
【００２８】
また、本発明の請求項３に係るＣＯ２回収方法は、ＣＯ２を含む複数成分の処理対象ガスからＣＯ２を分離回収するＣＯ２回収方法であって、ＣＯ２吸収塔にて前記処理対象ガスに圧力が０．３ＭＰａＧの条件下で比揮発度５以上のＣＯ２吸収液を接触させて前記処理対象ガス中のＣＯ２を吸収する工程と、前記ＣＯ２吸収塔に連通される第１リボイラにて、前記ＣＯ２吸収塔から払い出されるＣＯ２リッチ状態のＣＯ２吸収液を加熱して該ＣＯ２吸収液からＣＯ２を分離させる第１のＣＯ２分離工程と、前記第１リボイラに連通される第２リボイラにて、前記第１リボイラから払い出されるＣＯ２吸収液を加熱して該ＣＯ２吸収液からＣＯ２及び水蒸気を分離させる第２のＣＯ２分離工程と、前記第２リボイラで分離されたＣＯ２及び水蒸気を、ガス移送配管を介して前記第１リボイラへ移送する工程と、を備え、前記第１のＣＯ２分離工程は、ＣＯ２リッチ状態のＣＯ２吸収液を、前記第２リボイラから前記ガス移送配管を介して供されるＣＯ２と水蒸気とが混合した気泡により攪拌しながら加熱することを特徴とする。
この場合、本願の請求項１、２に記載のＣＯ２回収装置を用いたＣＯ２回収方法が好適に行える。
【発明の効果】
【００２９】
本願の請求項１に係る発明によれば、再生塔を用いることなく、直列に配置した複数段のリボイラによって、ＣＯ２吸収液の再生が可能となる。また、再生塔を用いる場合に比べ、装置全体の小型化が図れ、しかも建設コストを削減することができる。
【００３０】
本願の請求項２に係る発明によれば、リッチ状態のＣＯ２吸収液のＣＯ２濃度をより濃くすることができ、これにより、大きなデルタローディングを得ることができる。
【００３１】
本願の請求項３に係る発明によれば、本願発明に係るＣＯ２回収装置を用いたＣＯ２回収方法が好適に実施できる。
【図面の簡単な説明】
【００３２】
【図１】本発明に係るＣＯ２回収装置の実施形態を示す構成図である。
【図２】本発明の実施形態の気泡槽及びリボイラ内のＣＯ２吸収液の様子を可視化したＣ−ｙチャートである。
【図３】従来のＣＯ２回収装置の一例を示す構成図である。
【図４】従来の再生塔内のＣＯ２吸収液の様子を可視化したＣ−ｙチャートである。
【発明を実施するための形態】
【００３３】
以下に添付する図面を参照しながら、本発明の好適な実施形態を説明する。
図１は本発明に係るＣＯ２回収装置の実施形態を示す。図において符号１はＣＯ２吸収塔を示す。このＣＯ２吸収塔１の塔底部には原料ガス入口１Ａと、ＣＯ２リッチ状態のＣＯ２吸収液を払い出すリッチ吸収液出口１Ｂが形成されている。原料ガス入口１Ａには原料ガス供給配管２が接続され、リッチ吸収液出口１Ｂにはリッチ吸収液払い出し配管３が接続されている。ＣＯ２吸収塔１の塔頂部にはＣＯ２リーン状態のＣＯ２吸収液を戻し入れるリーン吸収液入口１Ｃと、原料ガス出口１Ｄが形成されている。リーン吸収液入口１Ｃにはリーン吸収液戻し配管４が接続され、原料ガス出口１Ｄには原料ガス払い出し管５が接続されている。原料ガス払い出し管５には処理ガスコンデンセートクーラ６が介装されている。
【００３４】
ＣＯ２吸収塔１では、リーン吸収液入口１Ｃから供給されるリッチ状態のＣＯ２吸収液が塔内の充填層を下方へ通過する際に、原料ガス入口１Ａから供給される原料ガス（処理対象ガス）と接触し、発熱反応を伴いながら原料ガス中のＣＯ２を吸収してリッチ状態のＣＯ２吸収液になる。そして、このリッチ状態のＣＯ２吸収液はリッチ吸収液出口１Ｂから払い出される。また、ＣＯ２を分離された原料ガスは原料ガス出口１Ｄから払い出される。
なお、ここではリーン吸収液、リッチ吸収液はそれぞれＣＯ２濃度を基準とするものであり、ＣＯ２が所定濃度未満となっているＣＯ２吸収液をリーン吸収液、ＣＯ２が所定濃度以上となっているＣＯ２吸収液をリッチ吸収液と呼ぶ。
【００３５】
ＣＯ２吸収塔１から延びるリッチ吸収液払い出し配管３は、ポンプ３Ａ及び熱交換器７を介装されて、その先端が第１リボイラ８へ接続される。
第１リボイラ８には内部に加熱用コイル８Ａが組み込まれており、加熱用コイル８Ａには蒸気配管９が接続されている。また、第１リボイラ８の上部にはリッチ吸収液入口８Ｂ及びガス出口８Ｃが形成されている。リッチ吸収液入口８Ｂには前記リッチ吸収液払い出し配管３が接続され、ガス出口８ＣにはＣＯ２払い出し配管１０が接続されている。ＣＯ２払い出し配管１０には、ＣＯ２コンデンセートクーラ１１並びに電磁弁１２が第１リボイラ８から先端側へ向けて順に介装されている。
また、第１リボイラ８の底部には吸収液出口８Ｄ及びガス入口８Ｅが形成されている。吸収液出口８Ｄには吸収液移送配管１３が接続され、ガス入口８Ｅにはガス移送配管１４が接続されている。
【００３６】
第１リボイラ８では、加熱用コイル８Ａに蒸気配管９から水蒸気が供給されると、内部に貯留されているＣＯ２吸収液であるアミン炭酸塩が分解され、ＣＯ２及び水蒸気が生じる。ＣＯ２はキャリアスチームとして作用する水蒸気とともに、ＣＯ２払い出し配管１０を介して第１リボイラ８の外部へ排出される。
【００３７】
第１リボイラ８から延びる吸収液移送配管１３及びガス移送配管１４の先端は第２リボイラ１５に接続されている。
第２リボイラ１５は、内部に加熱用コイル１５Ａが組み込まれており、加熱用コイル１５Ａには蒸気配管１５Ｂが接続されている。また、第２リボイラ１５の上部には吸収液入口１５Ｃ及びガス出口１５Ｄが形成されている。吸収液入口１５Ｃには吸収液移送配管１３が接続され、ガス出口８Ｃにはガス移送配管１４が接続されている。
また、第２リボイラ１５の底部には吸収液出口１５Ｅが形成され、吸収液出口１５Ｅには前記リーン吸収液戻し配管４が接続されている。
【００３８】
第２リボイラ１５では、加熱用コイル１５Ａに蒸気配管１５Ｂから水蒸気が供給されると、内部に貯留されているＣＯ２吸収液であるアミン炭酸塩が分解され、ＣＯ２及び水蒸気が生じるとともに、ＣＯ２吸収液はリーン状態になる。ＣＯ２はキャリアスチームとして作用する水蒸気とともに、ガス移送配管１４を介して第１リボイラ８へ移送される。また、リーン状態のＣＯ２吸収液は、リーン吸収液戻し配管４から該リーン吸収液戻し配管４に介装されたポンプ４Ａによって第２リボイラ１５の外部へ払い出される。
【００３９】
第２リボイラ１５から延びるリーン吸収液戻し配管４の先端は前記ＣＯ２吸収塔１へ接続されている。リーン吸収液戻し配管４とリッチ吸収液払い出し配管３とが交差する箇所にはリーン状態のＣＯ２吸収液の熱によってリッチ状態のＣＯ２吸収液を加熱する前記熱交換器７が介装され、さらにリーン吸収液払い出し配管の熱交換器７よりもＣＯ２吸収塔１側にはアフタークーラ１６が介装されている。
【００４０】
次に、前記ＣＯ２回収装置の作用について説明する。
なお、ここでは、圧力が０．３ＭＰａＧの条件下で比揮発度が５以上のＣＯ２吸収液を使用するのが前提である。
処理対象である原料ガスは、原料ガス供給配管２内を流れてＣＯ２吸収塔１に流入し、ＣＯ２吸収塔１の塔頂部にリーン吸収液戻し配管４から供されるリーン状態のＣＯ２吸収液と塔内の充填槽で接触し、発熱反応を伴いながら、ＣＯ２吸収液によってＣＯ２を吸収される。
ＣＯ２を除去された原料ガスは、塔頂部から原料ガス払い出し管５を介して塔外へ払い出される。このとき、処理ガスコンデンセートクーラ６によって所定温度まで冷却される。
【００４１】
一方、ＣＯ２を吸収してリッチ状態となったＣＯ２吸収液は、ポンプ３Ａによって昇圧されてリッチ吸収液払い出し配管３内を流れ、熱交換器７を介してリーン状態のＣＯ２吸収液により加熱された後、第１リボイラ８まで移送される。ここで、リッチ状態のＣＯ２吸収液は、水蒸気を熱源とする加熱用コイル８Ａの熱によって分解される。また、第２リボイラ１５からガス移送配管１４を介して供されるＣＯ２と水蒸気とが混合した気泡により攪拌されながら加熱されることも相俟ってＣＯ２の分解が促進される。分解されたＣＯ２は、キャリア作用をなす水蒸気とともにＣＯ２払い出し配管１０を通じて外部へ払い出される。そして、払い出されたＣＯ２は、ＣＯ２コンデンセートクーラ１１によって所定温度まで冷却された後、所定箇所まで移送される。
なお、第１リボイラ８から系外へ払い出された水蒸気分は、図示しない水供給管から液体の形で第１リボイラ８あるいは第２リボイラ１５内に補給される。
【００４２】
一方、第１リボイラ８内のＣＯ２吸収液は、吸収液移送配管１３を通じて第２リボイラ１５へ移送される。第２リボイラ１５では、前記第１リボイラ８にて分解されなかった残りのアミン炭酸塩が、加熱用コイル１５Ａの熱によって分解される。この第２リボイラ１５における分解率は１００％近くになる。ここで発生するＣＯ２と水蒸気は、前述したようにガス移送配管１４を通じて前記第１リボイラ８内まで移送される。一方、分解されて濃度が所定値未満となったリーン状態のＣＯ２吸収液は、ポンプ４Ａにより昇圧されてリーン吸収液戻し配管４内を流れ、熱交換器７、並びにアフタークーラ１６により所定温度まで冷却され、再びＣＯ２吸収塔１へ移送される。
【００４３】
このときの気泡槽及びリボイラ内のＣＯ２吸収液の様子を図２に示す。図２は比揮発度が１０のＣＯ２吸収液を使用したときの例、比揮発度が５のＣＯ２吸収液（例えば、第二級アミン、または第三級アミン）を使用したときの例、比揮発度が２のＣＯ２吸収液を使用したときの参考例をそれぞれ示す。
比揮発度が２程度の低い値のとき、ローディングの値が高くなってもＣＯ２分圧(ｙ)の値が高くならず気液平衡線は横になだらかに伸びる直線状となる。一方、比揮発度が５あるいは１０と高くなるにつれて、気液平衡線２２，２３は上方への凸が大きくなる曲線状となる。
【００４４】
例えば、比揮発度５のＣＯ２吸収液を使用した場合を例に挙げてＣＯ２吸収液の状態を説明すると、第１リボイラ８のリッチ吸収液入口８Ｂには、ＣＯ２吸収塔１側からＣＯ２リッチ状態となったＣＯ２吸収液が流入する。このＣＯ２吸収液の状態を図２において符号Ｆで示す。このＣＯ２リッチ状態のＣＯ２吸収液は、第１リボイラ８にて蒸気加熱されることとなり、Ｇの状態に至る。Ｇの状態になったＣＯ２吸収液は、ここから第２リボイラ１５に至り、ここで蒸気加熱されることでＣＯ２濃度がさらに下がりＨの状態に至る。すなわち、ＣＯ２吸収液はＣＯ２濃度が薄くリーン状態となる。
【００４５】
ここで、ＣＯ２吸収液がＦの状態からＧの状態に至るとき、第１リボイラ８の段効率が１００％であるから、Ｆから水平線となって延びる物質収支線２４と、Ｇから垂直へ立ち上がる垂直線２５とは、ＣＯ２−アミン吸収液の気液平衡線２２で交わる。この点が図２においてＩである。
また、ＣＯ２吸収液がＧの状態からＨの状態に至るとき、第２リボイラ１５の段効率が１００％であるから、Ｇから水平線となって延びる物質収支線２６と、Ｈから垂直へ立ち上がる垂直線２７とは、ＣＯ２−アミン吸収液の気液平衡線２２で交わる。この点が図２においてＪである。
【００４６】
なお、比揮発度が１０のときでも第１リボイラ８と第２リボイラ１５とを組み合わせた２段でＣＯ２吸収液を、リッチ状態からリーン状態へ戻すことが可能となる。
この図から明らかように、比揮発度が５以上のＣＯ２吸収液を使用すれば、第１リボイラ８と第２リボイラ１５を組み合わせただけで、従前のＣＯ２回収装置で使用していた大型の再生塔を備えなくとも、同程度のアミン炭酸塩の分解性能が得られることがわかる。
なお、比揮発度が２のＣＯ２吸収液を使用する場合には、気泡槽とリボイラを５段に渡って組み合わせなければならず、大型の再生塔を使用しないメリットが薄れる。
【００４７】
このようにＣＯ２ガス処理装置によれば、大型の再生塔を備えなくても、リッチ状態のＣＯ２吸収液を、第１リボイラ８と第２リボイラ１５とを通過させることにより、アミン炭酸塩を好適に分解することができ、所定効率のＣＯ２回収を図りながら装置の小型化、並びに建設コストを削減することができる。
【００４８】
以上、本発明の実施形態について図面を参照して詳述したが、具体的な構成はこの実施形態に限られるものではなく、本発明の要旨を逸脱しない範囲の構成の変更等も含まれる。
例えば、前記実施形態では、圧力が０．３ＭＰａＧの条件下で比揮発度が５あるいは１０のＣＯ２吸収液を使用する例を説明したが、これに限られることなく、比揮発度が５以上のＣＯ２吸収液を使用すれば足りる。比揮発度が５未満のものを用いると、従前の再生塔の同程度のＣＯ２回収率を得るためには、気泡槽とリボイラを４段に渡って組み合わせなければならず、再生塔を使用しないメリットが損なわれる。
【００４９】
また前記実施形態では、リボイラを２段直列に配置しているが、これに限られることなく、リボイラを３段以上直列に配置してもよい。例えば、リボイラを直列に３段配置した場合には、図２中Ｃｂで示す例の破線で示すように、前述した実施形態のＣＯ２回収装置の例に比べ、ＣＯ２吸収液のＣＯ２濃度をより濃くすることができ、これにより、ＣＯ２の高い回収率が得られる。
【符号の説明】
【００５０】
１  ＣＯ２吸収塔
２  原料ガス供給配管
３  リッチ吸収液払い出し配管
３Ａ  ポンプ
４  リーン吸収液戻し配管
５  原料ガス払い出し管
７  熱交換器
８  第１リボイラ
１０  ＣＯ２払い出し配管
１３  吸収液移送配管
１４  ガス移送配管
１５  第２リボイラ
【図１】
0005658101.tif 000007
【図２】
0005658101.tif 000008
【図３】
0005658101.tif 000009
【図４】
0005658101.tif 000010